(57)【要約】      （修正有）【課題】金属缶を開切する場合、それ用のカッターの使用や他の工具を使用していたが、缶内の液体がカッターや工具に付着するおそれがあった。また、流出に有効な一定の箇所に流出孔を常時形成することは困難であった。更に、金属缶使用後の押し潰した形状が一定ではなく、廃棄物としてかさばるものであった。【解決手段】側壁との縁部となる上蓋の少なくとも三方に、該縁部に添って切開される線状の切開け部を形成し、該切開け部の一隅部上に開口手段を形成し、他方、底部の対角線方向に開切される線状の切断部を形成し、該切断部の一隅部上に開口手段を形成してなることを特徴とする四角形状の金属缶。【選択図】図２
2004359278.tif 000002
【特許請求の範囲】
【請求項１】
側壁との縁部となる上蓋の少なくとも三方に、該縁部に添って切開される線状の切開け部を形成し、該切開け部の一隅部上に開口手段を形成し、他方、底部の対角線方向に開切される線状の切断部を形成し、該切断部の一隅部上に開口手段を形成してなることを特徴とする四角形状の金属缶。
【請求項２】
金属缶を一斗缶又は半斗缶としたことを特徴とする請求項１に記載の金属缶。
【請求項３】
開口手段をプルタブとしたことを特徴とする請求項１又は２に記載の金属缶。
【発明の詳細な説明】
【０００１】
【発明が属する技術分野】
本願発明はペンキ、化学薬品、その他の粘度の高い液体を、その容器である金属缶から全量を効率良く流出させるための開口手段、及び使用後に空となった該金属缶を容易に且つ効率良く潰すことのでき圧縮手段を構成した金属缶に関する。
【０００２】
【従来の技術】
一般に、ペンキ類は濃縮された原液をシンナーで希釈して使用するが、上記ペンキ類等の液体を多量に使用する場合、それら液体は濃縮された状態で１８リットル容器、いわゆる一斗缶或いは９リットル容器の半斗缶という四角形状の金属缶に収納されている。そして、該液体の使用に際しては、該金属缶の略正方形の上蓋の一部を切り開き、缶を傾斜させて該開切された開口部より所要量の液体を取り出し、薄めて使用している。
【０００３】
上記のように金属缶の内容物を流出させるために上蓋の一部を切り開く手段としては、図８に示すように一斗缶専用のカッターＡを使用するか、或いはその都度バール等の硬い扁平な部分を有する工具を使用することにより、該金属缶の縁部を押し破っていた。
【０００４】
また、上記金属缶内に収納していた液体を使用した後は、該金属缶は中身が空の状態で所定の場所に保管され、その状態で廃棄物として処理されていた。また、図９に示すように、当該使用後の金属缶の側面を内側へ押し込み、上蓋及び底蓋側を押し潰して、小さな塊状のものとして廃棄処理していた。
【０００５】
【発明が解決しようとする課題】
上記カッターＡを使用する場合、一斗缶や半斗缶等の専用のものを予め液体の使用現場に用意しておかなければならず、多数の金属缶を使用する場合はともかく、数本の金属缶を使用する場合においても予め該カッターＡを準備しておく必要があった。
【０００６】
また、上記カッターＡを使用する場合、金属缶の上方から強く押し付ける必要があり、開切時に中身の液体が外方へ飛び出すことや、該カッターＡの先端に液体が付着し、それらをその都度除去する必要があり、それを怠ると該液体が硬化してカッターＡにこびり付き、当該カッターＡにより他の液体が収納されている金属缶を開切するときに該カッターＡの付着物と他の液体とが混合するおそれがあった。
【０００７】
更に、上記扁平な工具を使用する場合、上記同様、中身の液体の飛び出し及び液体の工具への付着が生じると同時に、液体を流出させるのに有効な手段となる隅部の所定の箇所に流出孔を常時形成することは困難であった。
【０００８】
また、液体使用後の金属缶の押し潰しにあっては、手間がかかると同時に規則的な潰し方が出来ず、常に異なった形状の塊状体が形成され、厚みもあり且つその厚みも常に異なるため積み重ね等の保管や運搬において効率の良い収納手段とはならなかった。
【０００９】
【課題を解決するための手段】
上記課題を解決するため、本願発明は金属缶の上蓋に常に一定の箇所に開口部が得られる開口手段を予め形成しておくと同時に、該開口手段により上蓋の縁部が開切され、底部にも該金属缶を押し潰し易い開切破断部及び開口手段を形成してなることを特徴とする。
【００１０】
【実施例】
以下、図面に基づく実施例により本願発明を説明する。
図１は、金属缶の上部側斜視図である。以下金属缶として一斗缶に沿って説明する。該一斗缶１は、ペンキの原液等の高粘度の液体やその他の液体を収納している。該一斗缶１の上蓋２には、その側壁３との縁部４に切断溝等を形成した切開け部５を設けている。該切開け部５は、上蓋２と三方の側壁３との縁部４に添って形成している。該切開け部５上の−隅部には、図３に示すように開口手段としてプルタブ６を形成し、該プルタブ６の把持部７を引き上げることにより、該切開け部５の線に添って上蓋２は破断され、内容物を流出させる開口部を得ることになる。
【００１１】
図３は上蓋２に形成されたプルタブ６と切開け部５との関係を示す平面図である。
上記のようにプルタブ６は、一斗缶１の隅部に形成し、軸８を中心として把持部７を引き上げることにより該軸８部より連続形成している卵型形状の第一の破断部９を破断し、該破断部９によって囲まれた卵型形状の小切断片１０が一斗缶１上蓋２より分離し開口部を形成する。
上記のように内容物を流出させるためには、該プルタブ６の把持部７を引き上げ、該切開け部５として形成した線状の破断部の一部を図２に示すように破断し、開口部を形成することになる。
【００１２】
また、内容物の液体を流出させるためには、一斗缶１を傾斜させることになるが、該一斗缶１内の液体をスムーズに流出させ、更に缶内の残存液体が少なくなるように、プルタブ６の位置を側壁３に添う上蓋２の隅部に形成する。図４（ａ）に示すものは、隅部における切開け部の形状をその小切断片がハート型となるように湾曲破断部１１としている。また、図４（ｂ）に示すものは、破断部の切開け線の形状を鋭角の三角形小片が形成されるような破断部１２に形成している。上記形状の破断により所定形状の開口部が形成され、液体の流出時において、該液体が側壁３に回り込んだり、上記残存液体が一斗缶１内に多く残ることを防止することができる。
【００１３】
切開け部は、液体の流出時には、上記図２に示すような状態での線状部の一部の破断とするが、使用後には図５の斜視図に示すように、一部の付け根部１３が側壁３と連結された状態とし、三方を破断することになる。該破断された上蓋２は、上方へ持ち上げたり或いは図に示すように一斗缶１内に折り曲げることも可能である。
【００１４】
他方、図６に示すように、四角形の一斗缶１の底部１４対角線方向に線状の切断部１５を形成する。該切断部１５は、対角に位置する隅部間に連続的に形成する。該切断部１５のいずれかの隅部には、切断部１５と連続して開口手段となるプルタブ１６が形成され、該プルタブ１６の把持部１７を引き上げることにより、該切断部に沿って破断されることになる。該切断部１５の破断は、内容物が空となった状態で行われる。また、該切断部１５は切断溝等で形成され、その切断巾は約１〜１０ｍｍ程度の適宜な巾が採用される。
【００１５】
上蓋２を図５に示すように切開け部５に沿って破断し、当該部分を一斗缶１内の内側壁に添うように折り曲げ、底部１４を上記のように対角線の切断部１５に添って破断することにより一斗缶１の上下部が開放されることになる。上記上下部の開放により、一斗缶１としての構造体が極めて弱い構造となり、図７に示すように対向する隅部を横方向より押圧するのみで、容易に押し潰すことが可能となる。
【００１６】
押し潰し方の具体例の一つを示すと、上蓋２側の三方を切開け部５に沿って破断し、底部１４側は切断部１５に沿って対角線方向に破断する。上蓋２側を外方へ持ち上げ、底部１４側は該対角線に形成された切開け部を内方へ押し込むようにして、対向する隅部が相互に近接する方向へ力を付与する。例えば、該一斗缶１を横設し、一隅部を足で踏み付けることにより容易に扁平状体の缶とすることができる。外方へ持ち上げてあった上蓋２は折り返すことにより側壁３上に重ねることができる。
【００１７】
上記押圧により側壁３面相互が近接或いは接し、その間或いは側壁３の外側面に上蓋２や底部１４が配設されて押し潰され、一側壁３の縦横の大きさに相当する平板状の扁平体が得られることになる。
【００１８】
なお、上記実施例では一斗缶に沿って説明したが、半斗缶或いは他の大きさの金属缶であってもよい。
【００１９】
【発明の効果】
上記構成よりなる本願発明の金属缶は、その上蓋に予め内容物を流出させるための上蓋開切手段を一体に形成しているので、別途工具等を使用することなく、缶内の液体の所要量を流出させることができる。
【００２０】
また、液体の使用後において、上記上蓋を更に開切し、その開切と同時に底部を切断部に添って開切破断し、金属缶をその対向する側壁隅部を押圧することにより、容易に押し潰して平板状の缶とすることができ、かさばることのない廃棄物とすることが可能となった。
【図面の簡単な説明】
【図１】本願発明の金属缶の上部側斜視図。
【図２】本願発明の金属缶の上蓋を開切している状態を示す上部側斜視図。
【図３】本願発明の金属缶の上蓋の平面図。
【図４】（ａ）本願発明の金属缶の上蓋破断部の形状を示す平面図。
（ｂ）本願発明の金属缶の上蓋破断部の形状を示す他の実施例の平面図。
【図５】本願発明の金属缶の上蓋を破断し、該上蓋を金属缶の内側へ押し込んだ状態を示す上部側斜視図。
【図６】本願発明の金属缶の下部側斜視図。
【図７】本願発明の金属缶を押し潰している状態を示す斜視図。
【図８】カッターを使用する従来例の斜視図。
【図９】金属缶を押し潰す従来例の斜視図。
【符号の説明】
１．        ・・・一斗缶
２．        ・・上蓋
３．        ・・・側壁
４．        ・・・縁部
５．        ・・・切開け部
６．        ・・・プルタブ
７．        ・・・把持部
８．        ・・・軸
９．        ・・・破断部
１０．    ・・・小切断片
１１．    ・・・湾曲破断部
１２．    ・・・破断部
１３．    ・・・付け根部
１４．    ・・・底部
１５．    ・・・切断部
１６．    ・・・プルタブ
１７．    ・・・把持部
【図１】
2004359278.tif 000003
【図２】
2004359278.tif 000004
【図３】
2004359278.tif 000005
【図４】
2004359278.tif 000006
【図５】
2004359278.tif 000007
【図６】
2004359278.tif 000008
【図７】
2004359278.tif 000009
【図８】
2004359278.tif 000010
【図９】
2004359278.tif 000011